(57)【要約】実施形態は、大気圧より高い陽圧の流体によって充填可能な領域を取り囲んでいるインフレータブル支持構造を含む。可撓性のスクリーンが支持構造に取り付けられ、可撓性スクリーンと支持構造の間の領域は、画像投影のために適切な形状に可撓性スクリーンを維持する大気圧より低い陰圧の流体によって充填可能である。実施形態に従う方法は、インフレータブル支持構造を大気圧より高い陽圧の流体で膨張させることを含み、可撓性スクリーンと支持構造の間の大気圧より低い陰圧の流体で、画像投影のために適切な形状に可撓性スクリーンを維持するために、支持構造と、支持構造に取り付けられた可撓性スクリーンの間の領域から流体を除去することを含む。【選択図】図３
2009503587.tif 000002
【特許請求の範囲】
【請求項１】
大気圧より高い陽圧の流体によって充填可能な領域を取り囲むインフレータブル支持構造と、
前記支持構造に取り付けられた可撓性スクリーンを含み、前記インフレータブル支持構造が前記可撓性スクリーンの凸側を完全に包囲しており、
前記可撓性スクリーンを画像投影に適切な形状に維持する、前記大気圧より低い陰圧の流体によって充填可能な、前記可撓性スクリーンと前記支持構造の間の領域
を含む装置。
【請求項２】
前記可撓性スクリーンが、二つの異なる幾何学的平面にある境界線を有する、請求項１に記載の装置。
【請求項３】
前記幾何学的平面のうちの一つにある前記可撓性スクリーンの前記境界線が、前記支持構造を通る開け放されたままの出入り口を定める、先行する請求項のいずれか一つに記載の装置。
【請求項４】
前記開け放されたままの出入り口が、任意の組み合わせで、空気とヘリウムのうちの一つ以上から成る群から選択される流体で充填される内部領域を持つフレームを含む、先行する請求項のいずれか一つに記載の装置。
【請求項５】
前記インフレータブル支持構造によって取り囲まれた前記領域が、任意の組み合わせで、空気とヘリウムのうちの一つ以上から成る群から選択される流体で充填され、
前記可撓性スクリーンと前記支持構造の間の前記領域が、任意の組み合わせで、空気とヘリウムのうちの一つ以上から成る群から選択される流体で充填される、先行する請求項のいずれか一つに記載の装置。
【請求項６】
前記可撓性スクリーンと前記支持構造の間の前記領域が陰圧の流体で充填される時、前記可撓性スクリーンが滑らかな凹面である、先行する請求項のいずれか一つに記載の装置。
【請求項７】
前記可撓性スクリーンと前記支持構造の間の前記領域が陰圧の流体で充填される時、前記可撓性スクリーンが球状もしくは卵型をとる、先行する請求項のいずれか一つに記載の装置。
【請求項８】
前記可撓性スクリーンと前記支持構造の間の前記領域に送風機がアクセスすることを可能にするための通過領域をさらに含む、先行する請求項のいずれか一つに記載の装置。
【請求項９】
前記送風機が、前記通過領域内に取り付けられた直列送風機である、先行する請求項のいずれか一つに記載の装置。
【請求項１０】
前記インフレータブル支持構造が、
第一可撓性膜、
前記第一可撓性膜よりも小さい第二可撓性膜、
前記第一可撓性膜と前記第二可撓性膜の間につながれた複数の可撓性のリブ
を含む、先行する請求項のいずれか一つに記載の装置。
【請求項１１】
流体経路を提供するための、前記第一可撓性膜を貫通する第一注入口と、
流体経路を提供するための、前記第一可撓性膜と前記第二可撓性膜を貫通する第二注入口をさらに含み、
前記第一可撓性膜と前記第二可撓性膜が同心で球状である、請求項１０に記載の装置。
【請求項１２】
前記インフレータブル支持構造が、複数の遠心端で相互につながれた複数のインフレータブルチューブを含み、前記複数のチューブが、前記複数のチューブによって囲まれた複数の多角形の連続パターンを形成する、請求項１から９のいずれか一つに記載の装置。
【請求項１３】
前記複数のチューブによって囲まれた前記複数の多角形の連続パターンが、アルキメデスの立体である、請求項１２に記載の装置。
【請求項１４】
前記複数のチューブによって囲まれた前記複数の多角形の連続パターンが、切頂20面体である、請求項１２に記載の装置。
【請求項１５】
前記複数のチューブによって囲まれた前記複数の多角形の連続パターンが、測地線立体である、請求項１２に記載の装置。
【請求項１６】
複数の可撓性パネルをさらに含み、各可撓性パネルが前記複数の多角形の一つを形成する前記複数のチューブに接触して取り付けられている、請求項１２から１５のいずれか一つに記載の装置。
【請求項１７】
前記複数のチューブが前記陽圧の流体によって膨張される時、各可撓性パネルが張力下にあり、各可撓性パネルが小さいことを特徴とする、請求項１６のいずれか一つに記載の装置。
【請求項１８】
前記可撓性スクリーンが前記複数のチューブに取り付けられている、請求項１２から１７のいずれか一つに記載の装置。
【請求項１９】
流体を受け取るために、前記複数のチューブのうちの一つの中に開口部もしくは弁をさらに含み、前記流体が前記複数のチューブを膨張させるためにチューブからチューブへ移動できるように、前記複数のチューブが複数の開口部を伴って複数の遠心端で相互につながれている、請求項１２から１８のいずれか一つに記載の装置。
【請求項２０】
流体を受け取るために、前記複数のチューブの複数の開口部もしくは弁をさらに含み、前記流体が前記複数のチューブを膨張させるためにチューブからチューブへ移動できるように、前記複数のチューブが複数の開口部を伴って複数の遠心端で相互につながれている、請求項１２から１９のいずれか一つに記載の装置。
【請求項２１】
流体を除去するために、前記複数のチューブと前記可撓性スクリーンの間の前記領域への注入口をさらに含む、請求項１２から２０のいずれか一つに記載の装置。
【請求項２２】
前記可撓性スクリーン上に複数の画像もしくはピクセルの配列を投影するための投影システムをさらに含み、前記投影システムは、ライトエンジンと、前記複数の画像もしくはピクセルの配列を投影するための一つ以上のレンズを含む、先行する請求項のいずれか一つに記載の装置。
【請求項２３】
前記可撓性スクリーンに向かって音声もしくは音楽を伝えるための一つ以上のスピーカーを持つ音響システムをさらに含む、先行する請求項のいずれか一つに記載の装置。
【請求項２４】
インフレータブル支持構造を、大気圧より高い陽圧の流体で膨張させることと、
前記支持構造と、前記支持構造に取り付けられた可撓性スクリーンの間の領域から流体を除去し、前記可撓性スクリーンと前記支持構造の間の大気圧より低い陰圧の流体で、前
記可撓性スクリーンを画像投影に適切な形状に維持することと、
前記支持構造が前記可撓性スクリーンの凸側を完全に包囲していることを含む方法。
【請求項２５】
膨張が、前記可撓性スクリーンの境界線に取り付けられた前記インフレータブル支持構造を膨張させることをさらに含み、前記可撓性スクリーンの前記境界線が、二つの異なる幾何学的平面にある、請求項２４に記載の方法。
【請求項２６】
膨張が、前記支持構造を通る開け放したままの出入り口を支持するために、前記幾何学的平面のうちの一つにある前記可撓性スクリーンの前記境界線に取り付けられた前記インフレータブル支持構造を膨張させることをさらに含む、請求項２４から２５のいずれか一つに記載の方法。
【請求項２７】
膨張が、前記開け放したままの出入り口の周りのフレームの内部領域を、任意の組み合わせで、空気とヘリウムのうちの一つ以上から成る群から選択される流体で膨張させることをさらに含む、請求項２４から２６のいずれか一つに記載の方法。
【請求項２８】
膨張が、前記インフレータブル支持構造を、任意の組み合わせで、空気とヘリウムのうちの一つ以上から成る群から選択される流体で膨張させることをさらに含み、
流体の除去が、任意の組み合わせで、空気とヘリウムのうちの一つ以上から成る群から選択される流体を、前記支持構造と前記可撓性スクリーンの間の前記領域から除去することをさらに含む、請求項２４から２７のいずれか一つに記載の方法。
【請求項２９】
流体の除去が、前記可撓性スクリーンを前記支持構造に対して滑らかな凹面形状に維持するために、前記支持構造と前記可撓性スクリーンの間の前記領域から流体を除去することをさらに含む、請求項２４から２８のいずれか一つに記載の方法。
【請求項３０】
流体の除去が、前記可撓性スクリーンを前記支持構造に対して滑らかな凹面球状、もしくは滑らかな凹面卵型に維持するために、前記支持構造と前記可撓性スクリーンの間の前記領域から流体を除去することをさらに含む、請求項２４から２９のいずれか一つに記載の方法。
【請求項３１】
領域からの流体の除去が、送風機で通過領域を通して前記支持構造と前記可撓性スクリーンの間の前記領域から流体を除去することをさらに含む、請求項２４から３０のいずれか一つに記載の方法。
【請求項３２】
領域からの流体の除去が、通過領域を通して、前記通過領域内に取り付けられた直列送風機で、前記支持構造と前記可撓性スクリーンの間の前記領域から流体を除去することをさらに含む、請求項２４から３１のいずれか一つに記載の方法。
【請求項３３】
膨張が、第一可撓性膜と、前記第一可撓性膜よりも小さい第二可撓性膜の間の領域を、前記陽圧の前記流体で膨張させることをさらに含み、複数の可撓性のリブが、前記第一可撓性膜と前記第二可撓性膜の間に接続されている、請求項２４から３２のいずれか一つに記載の方法。
【請求項３４】
膨張が、流体経路を提供するために、前記第一可撓性膜を貫通する第一注入口を通して、同心で球状である前記第一可撓性膜と前記第二可撓性膜の間の前記領域を膨張させることをさらに含む、請求項３３に記載の方法。
【請求項３５】
領域からの流体の除去が、流体経路を提供するために、前記第一可撓性膜と前記第二可撓性膜を貫通する第二注入口を通して、前記第二可撓性膜と前記可撓性スクリーンの間の
前記領域から流体を除去することをさらに含む、請求項３４に記載の方法。
【請求項３６】
インフレータブル支持構造の膨張が、複数の遠心端で相互につながれた複数のインフレータブルチューブを膨張させることをさらに含み、前記複数のチューブが、前記複数のチューブによって囲まれた複数の多角形の連続パターンを形成する、請求項２４から３２のいずれか一つに記載の方法。
【請求項３７】
インフレータブル支持構造の膨張が、アルキメデスの立体を形成するために、複数の遠心端で相互につながれた前記複数のチューブを膨張させることをさらに含む、請求項３６に記載の方法。
【請求項３８】
インフレータブル支持構造の膨張が、切頂20面体を形成するために、複数の遠心端で相互につながれた前記複数のチューブを膨張させることをさらに含む、請求項３６に記載の方法。
【請求項３９】
インフレータブル支持構造の膨張が、測地線立体を形成するために、複数の遠心端で相互につながれた前記複数のチューブを膨張させることをさらに含む、請求項３６に記載の方法。
【請求項４０】
インフレータブル支持構造の膨張が、複数の可撓性パネルをピンと引っ張るために、複数の遠心端で相互につながれた前記複数のチューブを膨張させることをさらに含み、各可撓性パネルが前記複数の多角形の一つを形成する前記複数のチューブに接触して取り付けられていることを特徴とする、請求項３６から３９のいずれか一つに記載の方法。
【請求項４１】
インフレータブル支持構造の膨張が、各可撓性パネルを張力で引っ張るために、複数の遠心端で相互につながれた前記複数のチューブを膨張させることをさらに含み、各可撓性パネルが小さいことを特徴とする、請求項４０に記載の方法。
【請求項４２】
領域からの流体の除去が、前記複数のチューブと前記可撓性スクリーンとの間の前記領域から流体を除去することをさらに含み、前記可撓性スクリーンが前記複数のチューブに取り付けられていることを特徴とする、請求項３６から４１のいずれか一つに記載の方法。
【請求項４３】
インフレータブル支持構造の膨張が、前記複数のチューブのうちの一つの中の開口部もしくは弁を通して、前記複数のチューブに流体を加えて、前記流体を受け取ることをさらに含み、前記流体が前記複数のチューブを膨張させるためにチューブからチューブへ移動できるように、前記複数のチューブが複数の開口部を伴って複数の遠心端で相互につながれていることを特徴とする、請求項３６から４２のいずれか一つに記載の方法。
【請求項４４】
インフレータブル支持構造の膨張が、前記複数のチューブの中の複数の開口部もしくは弁を通して、前記複数のチューブに流体を加えて、前記流体を受け取ることをさらに含み、前記流体が前記複数のチューブを膨張させるためにチューブからチューブへ移動できるように、前記複数のチューブが複数の開口部を伴って複数の遠心端で相互につながれていることを特徴とする、請求項３６から４３のいずれか一つに記載の方法。
【請求項４５】
領域からの流体の除去が、注入口を通して前記複数のチューブと前記可撓性スクリーンの間の前記領域から流体を除去することをさらに含む、請求項３６から４４のいずれか一つに記載の方法。
【請求項４６】
前記可撓性スクリーン上に投影システムから複数の画像もしくはピクセルの配列を投影
することをさらに含み、前記投影システムがライトエンジンと、前記複数の画像もしくはピクセルの配列を投影するための一つ以上のレンズを含む、請求項２４から４５のいずれか一つに記載の方法。
【請求項４７】
前記可撓性スクリーンに向かって、一つ以上のスピーカを持つ音響システムから音声もしくは音楽を伝えることをさらに含む、請求項２４から４６のいずれか一つに記載の方法。
【請求項４８】
第一圧力の流体によって充填可能な領域を取り囲むインフレータブル支持構造と、
前記支持構造に取り付けられた可撓性スクリーンで、前記支持構造が前記可撓性スクリーンの凸側を完全に包囲し、前記可撓性スクリーンを画像投影に適切な形状に維持する、第二圧力の流体によって充填可能な前記可撓性スクリーンと前記支持構造の間の領域を含む装置。
【請求項４９】
前記可撓性スクリーンが、二つの異なる幾何学的平面にある境界線を持つ、請求項４８に記載の装置。
【請求項５０】
前記幾何学的平面のうちの一つにある前記可撓性スクリーンの前記境界線が、前記支持構造を通る開け放したままの出入り口を定め、
前記第一圧力が大気圧より高い陽圧であり、
前記第二圧力が前記大気圧より低い陰圧である、請求項４９に記載の装置。
【請求項５１】
大気圧より高い陽圧の流体で可撓性スクリーンを支持する手段と、
前記大気圧より低い前記陰圧の前記流体で、前記可撓性スクリーンを画像投影に適切な形状に維持する手段を含み、
前記可撓性スクリーンが二つの異なる幾何学的平面にある境界線を持つ、装置。
【請求項５２】
可撓性スクリーンを支持するための前記手段に複数の観客が入ることを可能にするための手段をさらに含む、請求項５１に記載の装置。
【請求項５３】
可撓性スクリーンを支持するための前記手段が、前記可撓性スクリーンの凸側を完全に包囲することを特徴とする、請求項５１から５２のいずれか一つに記載の装置。
【請求項５４】
前記陽圧を作り出すための手段と、
前記陰圧を作り出すための手段をさらに含む、請求項５１から５３のいずれか一つに記載の装置。
【請求項５５】
前記フレーム、前記可撓性スクリーン、前記第一可撓性膜、前記第二可撓性膜、および前記複数の可撓性のリブが、任意の組み合わせで、ナイロン、ビニール、マイラーのうちの一つ以上から成る群から選択される柔軟性の繊維でできており、
前記第一可撓性膜が前記第二可撓性膜と前記フレームに対して、接着剤、熱溶接、もしくはステッチで取り付けられ、
前記複数の可撓性のリブが前記第一可撓性膜と前記第二可撓性膜に対して、接着剤、熱溶接、もしくはステッチで取り付けられ、
前記可撓性スクリーンが前記第二可撓性膜に対して、接着剤、熱溶接、もしくはステッチで取り付けられていることを特徴とする、請求項１０から１１のいずれか一つに記載の装置。
【請求項５６】
前記可撓性スクリーン、前記複数のチューブ、および前記複数のパネルが、任意の組み合わせで、ナイロン、ビニール、マイラーのうちの一つ以上から成る群から選択される柔
軟性の繊維でできており、
前記複数のチューブが前記複数のパネルに対して、接着剤、熱溶接、もしくはステッチで取り付けられ、
前記可撓性スクリーンが前記複数のチューブと複数のパネルに対して、接着剤、熱溶接、もしくはステッチで取り付けられていることを特徴とする、請求項１８から２１のいずれか一つに記載の装置。
【請求項５７】
膨張が、前記第一可撓性膜と前記第二可撓性膜の間の領域を膨張させることをさらに含み、前記第一可撓性膜が前記第二可撓性膜と前記フレームに対して、接着剤、熱溶接、もしくはステッチで取り付けられ、前記複数の可撓性のリブが前記第一可撓性膜と前記第二可撓性膜に対して、接着剤、熱溶接、もしくはステッチで取り付けられ、前記可撓性スクリーンが前記第二可撓性膜に対して、接着剤、熱溶接、もしくはステッチで取り付けられ、かつ、前記フレーム、前記可撓性スクリーン、前記第一可撓性膜、前記第二可撓性膜、および前記複数の可撓性のリブが、任意の組み合わせで、ナイロン、ビニール、マイラーのうちの一つ以上から成る群から選択される柔軟性の繊維でできていることを特徴とする、請求項３３から３５のいずれか一つに記載の方法。
【請求項５８】
膨張が、前記複数の可撓性パネルをピンと引っ張るために前記複数のチューブを膨張させることをさらに含み、各可撓性パネルは接着剤、熱溶接、もしくはステッチで、前記複数のチューブに接触して取り付けられ、
領域からの流体の除去が、前記複数のチューブと前記可撓性スクリーンの間の前記領域から流体を除去することをさらに含み、前記可撓性スクリーンが接着剤、熱溶接、もしくはステッチで、前記複数のチューブと複数のパネルに取り付けられ、
前記可撓性スクリーン、前記複数のチューブ、および前記複数のパネルが、任意の組み合わせで、ナイロン、ビニール、マイラーのうちの一つ以上から成る群から選択される柔軟性の繊維でできていることを特徴とする、請求項４２から４５のいずれか一つに記載の方法。
【発明の詳細な説明】
【技術分野】
【０００１】
本出願は、一般にインフレータブル構造に関する。
【背景技術】
【０００２】
インフレータブル構造は、固体構造よりも、可搬性に優れ、保管容量が著しく小さいといった利点を持つ。インフレータブル構造は、一時緊急シェルター、迅速展開軍隊構造（fast deploying military structures）、組積造の骨組のために用いられる。ドームシアターの分野では、二種類の圧縮空気駆動式構造があり、純インフレータブル構造と、インフレータブル／固体構造ハイブリッドがある。
【０００３】
純インフレータブル構造では、構造的完全性は陽性大気圧を介してもたらされる。例えば、単一の球状に仕立てられた繊維シェル（single spherically tailored fabric shell）が、膨らんだ風船のように陽性大気圧を用いて膨張される。この構造は、現在の可搬式ドームシアターの実装で用いられている（すなわち、Learning TechnologiesのStarlab、e-Planetarium（商標）のGoDome（商標））。滑らかな凹面のスクリーン表面を提供する一方で、このデザインの主な欠点は、人がシェルに出入りする間に陽性大気圧が漏れるのを防ぐためのエアロック（airlock）が必要なことである。
【０００４】
エアロックを必要としない純インフレータブル構造も多く存在する。例えば、インフレータブルテント構造はインフレータブル支持チューブを持ち、繊維シェルはチューブを覆っている。別の実施例は、二つの同心繊維シェルを持ち、これは、陽性大気圧が加圧された際に、固定分離度（fixed separation）でシェルを保持する一連のリブを介して連結されている。他の構造は、U.S. Patents 3,742,658、4,288,947、4,807,405に示されている。これらの純インフレータブル構造全ては、出入り口を開け放したままにできる機能を提供するが、滑らかな凹面のスクリーン表面を実現するものは一つもない。
【０００５】
インフレータブル／固体構造ハイブリッドでは、凹面スクリーンをピンと張った滑らかな状態に引き出すために、スクリーンと外殻の間で陰性大気圧を用いる。外殻はU.S. Patent 3,998,522にあるような固体構造であってもよく、あるいはU.S. Patent 4,022,522にあるような固体骨組ネットワーク（solid framing network）上に張られた繊維膜（fabric membrane）であってもよい。このデザイン型は純粋にインフレータブルではなく、従って可搬性が劣り、保管における小型性が劣る。
【０００６】
改良されたインフレータブル構造と方法が必要とされる。
【発明を実施するための最良の形態】
【０００７】
様々な実施形態の以下の詳細な記述では、本明細書の一部を成す添付の図面を参照し、図面において、限定ではなく例として、主題が実施され得る特定の実施形態が示される。図面では、同じ数字はいくつかの図の間で実質的に同じ構成要素をあらわす。図示された実施形態は、本明細書で開示される指導を当業者が実施できるように十分詳細に記述される。他の実施形態が利用されてもよく、そこから派生して、組成的、構造的、論理的な置換と変更が、本開示の範囲から逸脱することなくなされ得る。従って以下の詳細な記述は、限定的な意味でとられるものではない。実施例と実施形態は、考えられるバリエーションを類型化するに過ぎない。個々の構成要素と機能は、明確に必要とされない限り随意的なものであり、操作順序は異なってもよい。いくつかの実施形態の部分と特徴は、他の実施形態に含まれてもよく、あるいは他の実施形態と置き換わってもよい。従って以下の詳細な記述は、限定的な意味でとられるものではない。
【０００８】
様々な実施形態の以下の詳細な記述は、大型アウトドアテントから、その表面上に映像を投影するのに適した小型の人の囲い（personal enclosures）に至るまでの用途に用いられる、全ての規模のインフレータブル構造に関連する。インフレータブル構造は、簡単で迅速な設定と分解、輸送における小型さ、さらに、傷つける可能性のある硬い表面が無い、という利点を持つ。現在のインフレータブル構造は、剛性と構造的完全性を生み出すために、二つの膜間の陽性大気圧に依存している。陽性大気圧のみを用いることで、滑らかな凹面表面を作り出すことはできない。当該分野の現状は、そのような表面を作り出すために多くの内部リブ（internal ribs）に依存しているが、各リブの間には常に“枕（pillowing）”が存在する。この枕は、内部表面上に投影された画像の連続性を妨げる。これは当該分野の一つの現状に過ぎない。
【０００９】
本明細書で記述される様々な実施形態は、追加の内部膜もしくはスクリーンを加えることで、凹面表面における枕の問題を解決しようとする。第二送風機を用いて、陽性大気圧構造の内部表面とスクリーンの間の大気を真空にし、陰性大気圧の領域を作り出す。陰性大気圧は、スクリーンをピンと張って所望の凹面形状にする。そのような構造の利点は、全てのインフレータブル構造において、滑らかで途切れない凹面形状であることである。
【００１０】
本明細書で記述される様々な実施形態は、陽圧と陰性大気圧領域の両方を持つインフレータブル構造を含む。一つの実施形態では、上記の構造は、内部の陰圧大気空間に送風機がアクセスすることを可能にする通過領域（pass through region）と共に作られる。別の実施形態では、上記の構造は、通過領域内に取り付けられた直列送風機（in-line blower）を含む通過領域と共に作られる。
【００１１】
本明細書の記述では、“陽圧”という用語は周囲圧力より高い流体の圧力を意味する。例えば、陽圧を有する領域内の空気は、外気もしくは大気の圧力より高い圧力を有する。“陰圧”という用語は、周囲圧力より低い流体の圧力を意味する。例えば、陰圧を有する領域内の空気は、外気もしくは大気の圧力より低い圧力を有する。
【００１２】
本明細書の記述では、“送風機”という用語は空気などのガス状流体を移動させるポンプをあらわす。送風機は、領域から流体を除去することによって領域内に陰圧を作り出すことができ、領域に流体を加えることによって領域内に陽圧を作り出すこともできる。
【００１３】
図１は様々な実施形態に従ったインフレータブルドームシアター100をあらわす。インフレータブルドームシアター100は、スクリーンもしくは膜である内部表面120を含む。インフレータブルドームシアター100は、陽圧領域150を取り囲む外壁130と内壁140を持つ、独立の自立支持構造126も含む。陽圧領域150は、内部表面120を支持するための支持構造を膨張させるために、陽圧を有する空気で充填される。陰圧領域160が、支持構造126の内壁140と内部表面120との間に存在し、内部表面120が所望の形状をとるように内部表面120をピンと引っ張るために、陰圧を持つ空気で充填される。内部表面120は、ピンと張って凹面の時には、円形もしくは球状、卵型、もしくは任意の他の所望の形状をとり得る。内部表面120は、ピンと張っている時には、インフレータブルドームシアター100の内部に対して凹面であり、かつ、支持構造126の付近に凸側を有する。インフレータブルドームシアター100は内部表面120の凸側を包含するか、あるいは完全に包囲している。
【００１４】
通過領域170は、外壁130、内壁140、および内部表面120を貫通し、それらの間の領域もしくは容積に複数の流体経路を提供する。通過領域170は、領域に流体を加えたり領域から流体を除去するために、様々な実施形態に従った直列送風機を含む。様々な実施形態では、通過領域170は、流体を移動させて陽圧と陰圧の領域両方をもたらす、二つの送風機もしくは一つの送風機を含む可能性がある。
【００１５】
内部表面120は少なくとも二つの異なる幾何学的平面にある境界線を持ち、平面のうちの一方はインフレータブルドームシアター100の床で、平面のもう片方はインフレータブルドームシアター100内の開口部もしくは開け放したままの出入り口である。
【００１６】
ピンと張っている時の内部表面120の形状は、内壁140の形状と異なっていてもよい。陽圧もしくは陰圧、あるいは陽圧と陰圧の両方をインフレータブルドームシアター100内に作り出すために、空気以外の流体を用いてもよい。例えば、陽圧領域150と陰圧領域160は、空気、ヘリウム、任意の他の流体、またはこれらの領域内に陽圧もしくは陰圧を作り出すことができる流体の組み合わせで充填されてもよい。
【００１７】
インフレータブルドームシアター100は、内部表面120上に画像もしくはピクセルの配列を投影するための投影システム（図示せず）を含む可能性がある。投影システムはライトエンジン（light engine）と、画像もしくはピクセルの配列を投影するための一つ以上のレンズを含む。インフレータブルドームシアター100は、インフレータブルドームシアター100内の空間に音声と音楽を伝えるための一つ以上のスピーカー（図示せず）を持つ音響システムを含む。観客は、画像、音声、および／または音楽を感受しながら、インフレータブルドームシアター100の内部で、床の上もしくは席（図示せず）に座ってもよい。別の実施形態においては、内部表面120に画像もしくはピクセル配列を放射状に投影するために、投影システムは、内部表面120の幾何学的中心に据え付けられる。別の実施形態では、投影システムは内部表面120の幾何学的中心から離れて配置される。
【００１８】
図１に示した実施形態は、支持構造が陽圧に依存し、凹面スクリーン形状が陰圧を用いて実現される場合、インフレータブルである。これは、滑らかな凹面スクリーンと、開け放したままの出入り口を持ち、今日のシステムの様々な欠点を持たない、純インフレータブル支持構造という目標を実現する。例えばエアロックは必要ない。
【００１９】
図２Ａは、様々な実施形態に従ったインフレータブルドームシアター200をあらわす。インフレータブルドームシアター200は、開け放したままの出入り口206を含む。図２Ｂは、様々な実施形態に従った、切断線3-3に沿ったインフレータブルドームシアター200の断面図をあらわす。インフレータブルドームシアター200は、第一膜220と第二膜222を含み、膜220と膜222の間に連結された複数のリブ224で結び付けられている。膜220と膜222は可撓性で、同心で、球状であり、第一膜220は第二膜222よりも大きい。リブ224はそれぞれ単一の膜であり、空気もしくは他の流体がリブ224を通過し得るように開口部を持っていてもよい。陽圧は膜220と膜222の間に、第一注入口230を通って加えられ、膜220と膜222を、リブ224によって適所に保たれるまで離れさせる。第一注入口230は、膜220と膜222の間の領域もしくは容積への流体経路を提供するために、第一膜220を貫通する。膜220と膜222、およびリブ224は、膜220、膜222、リブ224内の陽圧と張力によって、独立の自立支持構造を形成する。
【００２０】
第三膜250が第二膜222に取り付けられ、陰性大気圧が第三膜250と第二膜222の間に、第二注入口260を介して加えられる。第二注入口260は、膜222と膜250の間の領域もしくは容積への流体経路を提供するために、膜220と膜222の間を貫通している。陰圧は膜222と膜250の間の領域に作られ、第三膜250がピンと張って凹面切頂球状スクリーンを形成するようになっている。画像もしくはピクセルの配列が第三膜250上に投影され得る。
【００２１】
第三膜250は少なくとも二つの異なる幾何学的平面にある境界線を持ち、平面のうちの一方はインフレータブルドームシアター200の床であり、平面のもう片方は開け放したままの出入り口206である。
【００２２】
第三膜250はピンと張っている時、インフレータブルドームシアター200の内部に対して凹面であり、第二膜222の付近で凸側を有する。膜220と膜222は第三膜250の凸側を包含するか、あるいは完全に包囲しており、かつその境界線に沿って第三膜250に取り付けられている。
【００２３】
膜220、膜222、膜250の間の領域もしくは容積から流体を除去するか、あるいはそれらに流体を加えるために、送風機（図示せず）を用いてもよい。様々な実施形態では、領域もしくは容積に流体を移動させるために二つの送風機が用いられてもよく、あるいは陽圧と陰圧の領域両方をもたらすために流体を移動させるために、単一の送風機が用いられてもよい。
【００２４】
膜220、膜222、膜250およびリブ224は、ナイロン、ビニール、マイラー、または、陽圧もしくは陰圧に由来する力に耐えられる他の物質などの、適切な柔軟性を持つ繊維でできている。第三膜250は、適切な接着剤、熱溶接、もしくはステッチで第二膜222に取り付けられ、第三膜250と第二膜222の間の領域から流体の漏出が発生するのを実質的に減らすために、第三膜250と第二膜222の間にシールが形成されるようになっている。
【００２５】
第三膜250は、ピンと張っている時、円形もしくは球状、卵型、または任意の他の所望の形状を有し、その形状は第二膜222の形状と異なってもよい。陽圧もしくは陰圧、または陽圧と陰圧の両方をインフレータブルドームシアター200に作るために、空気以外の流体が用いられてもよい。例えば、膜220と膜222の間の領域と、膜222と膜250の間の領域は、空気、ヘリウム、任意の他の流体、またはこれらの領域に陽圧もしくは陰圧を維持することができる流体の組み合わせで充填されてもよい。
【００２６】
開け放したままの出入り口206は、観客がインフレータブルドームシアター200を出入りすることを可能にする、膜220、膜222、膜250を通る開口領域である。開け放したままの出入り口206は、ナイロン、ビニール、マイラー、または、陽圧もしくは陰圧に由来する力に耐えられる他の物質などの、適切な柔軟性を持つ繊維のインフレータブルフレーム270を持つ。フレーム270は、空気、ヘリウム、任意の他の流体、もしくは、フレーム270の内部領域内に陽圧を維持することができるような流体の組み合わせで充填され得る、内部領域もしくは容積を持つ。
【００２７】
図２Ａと図２Ｂに示された実施形態は、支持構造が陽圧に依存し、凹面スクリーン形状が陰圧を用いて実現される場合、インフレータブルである。これは、滑らかな凹面スクリーンと、開け放したままの出入り口を持ち、今日のシステムの様々な欠点を持たない、純インフレータブル支持構造という目標を実現する。例えばエアロックは必要ない。加えて、図２Ａと図２Ｂに示された実施形態は、ナイロン、ビニール、マイラー、もしくは他の物質などの、適切な柔軟性を持つ繊維で都合よく実装される。
【００２８】
インフレータブルドームシアター200は、第三膜250上に画像もしくはピクセルの配列を投影するための投影システム276を含む可能性がある。投影システム276は、ライトエンジンと、画像もしくはピクセルの配列を投影するための一つ以上のレンズを含む。インフレータブルドームシアター200は、インフレータブルドームシアター200内の空間に音声と音楽を伝えるための一つ以上のスピーカー280を持つ音響システムを含む。観客は、画像、音声、および／または音楽を感受しながら、インフレータブルドームシアター200の内部で、床の上もしくは席（図示せず）に座ってもよい。別の実施形態では、投影システム276は、第三膜250上に画像もしくはピクセルの配列を放射状に投影するために、第三膜250の幾何学的中心に取り付けられる。別の実施形態では、投影システム276は第三膜250の幾何学的中心から離れて配置される。
【００２９】
図３は、様々な実施形態に従ったインフレータブルドームシアタースクリーン300をあらわす。インフレータブルドームシアタースクリーン300は、チューブ310とパネル320が一緒につながれた支持構造を持つ。チューブ310は、チューブによって囲まれた平面図形もしくは多角形の連続パターンを成すために、遠心端で相互につながれており、各平面図形は、様々な実施形態に従って、図４に示したように領域を取り囲んでいる。そのようなパターンは測地線とアルキメデスの立体を含む。可撓性のパネル320は、各平面図形の各領域の内部で各チューブ310に接触して取り付けられている。図３に示したチューブ310は、アルキメデスの立体である切頂20面体を構成する。
【００３０】
チューブ310は、独立の自立支持構造を形成するために、陽圧の流体で膨張される。チューブ310が膨張すると、可撓性のパネル320は、膨張したチューブ310の形状によって決定される名目上の大きさ（nominal）より若干小さいので、ピンと引っ張られる。チューブ310だけでも独立の自立支持構造を形成し得るが、パネル320はさらに構造的な支持を供給するために設計されている。図５は、チューブ310が膨張してパネル320がピンと張った時の、パネル320上にわたる張力500の概略図である。張力500は、陽性大気圧で内部から膨張された単一の球状シェルの張力を近似している。
【００３１】
チューブ310は遠心端で相互につながれており、その中に開口部を持ち、空気などの流体が一つのチューブ310から別のチューブへ移動できるようになっており、チューブ310のパターン全体が、チューブ310のうちの一つの中の開口部もしくは弁（図示せず）を通して、陽圧の流体で膨張されるようになっている。陽圧は、チューブ310のうちの一つの中の開口部もしくは弁につながれた送風機によって供給され得る。別の実施形態では、チューブ310のうちの一つ以上が、陽圧の流体を受け取るための送風機につながれた開口部もしくは弁を持つ可能性がある。別の実施形態では、チューブ310は複数の領域に分類され、各領域は個々の開口部もしくは弁（図示せず）を持つ。各領域内のチューブ310は相互につながれ、空気などの流体を領域の開口部もしくは弁から受け取るための開口部を持ち、領域内のチューブ310が陽圧の流体で膨張されるようになっている。陽圧は各領域内の開口部もしくは弁につながれた送風機によって供給され得る。
【００３２】
膜330はチューブ310とパネル320に取り付けられ（図示せず）、陰性大気圧が膜330とチューブ310とパネル320の間に加えられる。陰圧は、膜330がピンと張って凹面切頂スクリーンを形成するように、膜330とチューブ310とパネル320の間の領域に作られる。流体は注入口（図示せず）を通して、膜330とチューブ310とパネル320の間の領域から除去される。画像もしくはピクセルの配列は膜330上に投影され得る。膜330は、ピンと張って凹面の時、円形もしくは球状、卵型、もしくは任意の他の所望の形状を取る可能性がある。
【００３３】
膜330は少なくとも二つの異なる幾何学的平面にある境界線を持ち、平面のうちの一方はインフレータブルドームシアター300の床であり、平面のうちのもう片方はインフレータブルドームシアター300の開口部もしくは開け放したままの出入り口である。
【００３４】
膜330はピンと張っている時、インフレータブルドームシアター300の内部に対して凹面であり、チューブ310とパネル320の付近で凸側を有する。チューブ310とパネル320は膜330の凸側を包含するか、あるいは完全に包囲し、その境界線に沿って膜330に取り付けられている。
【００３５】
チューブ310、パネル320、および膜330は、ナイロン、ビニール、マイラー、または、陽圧もしくは陰圧に由来する力に耐えられる他の物質などの、適切な柔軟性を持つ繊維でできている。膜330は、適切な接着剤、熱溶接、もしくはステッチで、チューブ310とパネル320に取り付けられ、膜330とチューブ310とパネル320の間の領域から流体の漏出が起こることを実質的に減らすために、膜330とチューブ310とパネル320の間にシールが形成さ
れるようになっている。
【００３６】
チューブ310、およびチューブ310とパネル320と膜330の間の領域は、空気、ヘリウム、任意の他の流体、または、これらの領域に陽圧もしくは陰圧を維持できる流体の組み合わせによって充填され得る。
【００３７】
インフレータブルドームシアタースクリーン300の膜330上に画像もしくはピクセルの配列を投影するために、投影システム360が配置される。投影システム360は、ライトエンジンと、画像もしくはピクセルの配列を投影するための一つ以上のレンズを含む。インフレータブルドームシアタースクリーン300は、インフレータブルドームシアタースクリーン300内の空間に音声と音楽を伝えるための一つ以上のスピーカー370を持つ音響システムを含む。観客は画像、音声、および／または音楽を感受しながら、インフレータブルドームシアタースクリーン300の内部で、床の上もしくは席（図示せず）に座ってもよい。別の実施形態では、投影システム360は、膜330上に画像もしくはピクセルの配列を放射状に投影するために、膜330の幾何学的中心に取り付けられる。別の実施形態では、投影システム360は膜330の幾何学的中心から離れて配置される。
【００３８】
図６は、様々な実施形態に従った、図３に示したインフレータブルドームシアタースクリーン300の断面図をあらわす。パネル320は各チューブ310に取り付けられ、チューブ310が膨張した時、チューブ310の間でピンと張った状態になる。膜330は流体で充填された領域600によって、チューブ310とパネル320から分離されている。
【００３９】
図３から６に示した実施形態は、標準的なチューブ状インフレータブル構造によってもたらされる構造的完全性とは著しく異なる。ピンと張ったパネル320は、チューブ格子の至る所だけというよりも、支持構造全体にわたって摂動力を分布するのを助ける。図３から６に示した実施形態は、支持構造が陽圧に依存し、凹面スクリーン形状が陰圧を用いて実現される場合、インフレータブルである。これは、滑らかな凹面のスクリーンと、開け放したままの出入り口を持ち、今日のシステムの様々な欠点を持たない、純インフレータブル支持構造という目標を実現する。例えばエアロックは必要ない。図３から６に示した実施形態は、ナイロン、ビニール、マイラー、もしくは他の物質などの、適切な柔軟性を持つ繊維で都合よく実装される。加えて、図３から６に示された実施形態は、チューブと平らなパネルを利用して、図２Ａから２Ｂに示された実施形態よりも少ない物質で構築される。
【００４０】
本明細書に記述された様々な実施形態は、滑らかな凹面の投影スクリーンと、開け放したままの出入り口を持つ、純インフレータブル構造を実現するために、二重空気圧（dual
air pressure）（陽性と陰性）を利用する。実施形態は、様々な実施形態では膜である支持構造とスクリーンを含む。支持構造は、陽圧で膨張される独立の自立支持構造である。スクリーンもしくは膜は、所望の凹面形状をとり、支持構造に取り付けられている。支持構造とスクリーンもしくは膜の間の陰圧が、これをピンと引っ張って所望の凹面形状を作り出す。
【００４１】
本明細書に記述された実施形態は、インフレータブルドームシアターなどの凹面に湾曲したスクリーン投影のために設計された、既存のインフレータブル構造を改良する。本明細書に記述された実施形態は、滑らかな凹面のスクリーンと、開け放したままの出入り口を持つ、今日のシステムの様々な欠点を持たない、純インフレータブル支持構造という目標を実現する。
【００４２】
実施形態は、大気圧より高い陽圧の流体によって充填可能な領域を取り囲むインフレータブル支持構造を含む。可撓性のスクリーンが支持構造に取り付けられ、可撓性のスクリ
ーンは二つの異なる幾何学的平面にある境界線を持ち、可撓性のスクリーンと支持構造の間の領域は、大気圧より低い陰圧の流体によって充填可能で、可撓性のスクリーンを画像投影のために適切な形状に維持する。実施形態に従った方法は、インフレータブル支持構造を大気圧より高い陽圧の流体で膨張させることと、可撓性スクリーンと支持構造の間の大気圧より低い陰圧の流体で、画像投影のために適切な形状に可撓性スクリーンを維持するために、支持構造と、支持構造に取り付けられた可撓性スクリーンの間の領域から流体を除去することを含み、可撓性スクリーンは二つの異なる幾何学的平面にある境界線を持つ。
【００４３】
実施形態は、大気圧より高い陽圧の流体でインフレータブル支持構造を膨張させることと、可撓性スクリーンと支持構造の間の空気圧より低い陰圧の流体で、画像投影のために適切な形状に可撓性スクリーンを維持するために、支持構造と、支持構造に取り付けられた可撓性スクリーンの間の領域から流体を除去することを含み、支持構造は可撓性スクリーンの凸側を完全に包囲している。膨張は、可撓性スクリーンの境界線に取り付けられたインフレータブル支持構造を膨張させることをさらに含み、可撓性スクリーンの境界線は二つの異なる幾何学的平面にある。膨張は、支持構造を通る開け放したままの出入り口を支持するために、幾何学的平面のうちの一つにある可撓性スクリーンの境界線に取り付けられた、インフレータブル支持構造を膨張させることをさらに含む。膨張は、開け放したままの出入り口の周りのフレームの内部領域を、任意の組み合わせで、空気とヘリウムのうちの一つ以上から成る群から選択された流体で膨張させることをさらに含む。
【００４４】
実施形態は、インフレータブル支持構造を、任意の組み合わせで、空気とヘリウムのうちの一つ以上から成る群から選択された流体で膨張させることをさらに含む膨張を含み、支持構造と可撓性スクリーンの間の領域から、任意の組み合わせで、空気とヘリウムのうちの一つ以上から成る群から選択された流体を除去することをさらに含む除去を含む。流体の除去は、可撓性スクリーンを支持構造に対して滑らかな凹面形状に維持するために、支持構造と可撓性スクリーンの間の領域から流体を除去することをさらに含む。流体の除去は、可撓性スクリーンを支持構造に対して滑らかな凹面球状もしくは滑らかな凹面卵型に維持するために、支持構造と可撓性スクリーンの間の領域から流体を除去することをさらに含む。流体の除去は、送風機で通過領域を通して支持構造と可撓性スクリーンの間の領域から流体を除去することをさらに含む。領域からの流体の除去は、通過領域内に取り付けられた直列送風機で、通過領域を通して支持構造と可撓性スクリーンの間の領域から流体を除去することをさらに含む。
【００４５】
実施形態は、第一可撓性膜と、第一可撓性膜よりも小さい第二可撓性膜の間の領域を、陽圧の流体で膨張させることをさらに含み、複数の可撓性のリブが、第一可撓性膜と第二可撓性膜の間につながれている。膨張は、流体経路を提供するために第一可撓性膜を貫通する第一注入口を通して、同心で球状の第一可撓性膜と第二可撓性膜の間の領域を膨張させることをさらに含む。領域からの流体の除去は、流体経路を提供するために第一可撓性膜と第二可撓性膜を貫通する第二注入口を通して、第二可撓性膜と可撓性スクリーンの間の領域から流体を除去することをさらに含む。
【００４６】
実施形態は、遠心端で相互につながれた複数のインフレータブルチューブを膨張させることをさらに含み、チューブはチューブによって囲まれた多角形の連続パターンを形成する。インフレータブル支持構造の膨張は、アルキメデスの立体を形成するために、遠心端で相互につながれたチューブを膨張させることをさらに含む。インフレータブル支持構造の膨張は、切頂20面体を形成するために、遠心端で相互につながれたチューブを膨張させることをさらに含む。インフレータブル支持構造の膨張は、測地線立体（geodesic solid）を形成するために、遠心端で相互につながれたチューブを膨張させることをさらに含む。インフレータブル支持構造の膨張は、複数の可撓性パネルをピンと引っ張るために、遠
心端で相互につながれたチューブを膨張させることをさらに含み、各可撓性パネルは多角形の一つを形成するチューブに接触して取り付けられている。インフレータブル支持構造の膨張は、各可撓性パネルを張力で引っ張るために、遠心端で相互につながれたチューブを膨張させることをさらに含み、各可撓性パネルは小さい。領域からの流体の除去は、チューブと可撓性スクリーンの間の領域から流体を除去することをさらに含み、可撓性スクリーンはチューブに取り付けられている。インフレータブル支持構造の膨張は、流体を受け取るためのチューブの一つの中の開口部もしくは弁を通して、流体をチューブに加えることをさらに含み、流体がチューブを膨張させるためにチューブからチューブへ移動できるように、チューブは開口部と共に遠心端で相互につながれている。インフレータブル支持構造の膨張は、流体を受け取るためのチューブの中の複数の開口部もしくは弁を通して、流体をチューブに加えることをさらに含み、流体がチューブを膨張させるためにチューブからチューブへ移動できるように、チューブは開口部を伴い遠心端で相互につながれている。領域からの流体の除去は、注入口を通してチューブと可撓性スクリーンの間の領域から流体を除去することをさらに含む。
【００４７】
実施形態は、画像もしくはピクセルの配列を投影システムから可撓性スクリーン上に投影することをさらに含み、投影システムは、ライトエンジンと、画像もしくはピクセルの配列を投影するための一つ以上のレンズを含む。実施形態は、一つ以上のスピーカーを持つ音響システムから可撓性スクリーンに向かって音声もしくは音楽を伝えることをさらに含む。
【００４８】
実施形態は、第一可撓性膜と第二可撓性膜の間の領域を膨張させることをさらに含み、第一可撓性膜は第二可撓性膜とフレームに対して、接着剤、熱溶接、もしくはステッチで取り付けられ、可撓性のリブは第一可撓性膜と第二可撓性膜に対して、接着剤、熱溶接、もしくはステッチで取り付けられ、可撓性スクリーンは第二可撓性膜に対して、接着剤、熱溶接、もしくはステッチで取り付けられ、かつ、フレーム、可撓性スクリーン、第一可撓性膜、第二可撓性膜、および可撓性のリブは、任意の組み合わせで、ナイロン、ビニール、マイラーのうちの一つ以上から成る群から選択された、柔軟性の繊維でできている。
【００４９】
実施形態は、可撓性パネルをピンと引っ張るためにチューブを膨張させることをさらに含み、各可撓性パネルは、接着剤、熱溶接、もしくはステッチでチューブに接触して取り付けられ、チューブと可撓性スクリーンの間の領域から流体を除去することを含み、可撓性スクリーンは接着剤、熱溶接、もしくはステッチでチューブとパネルに取り付けられ、かつ可撓性スクリーン、チューブ、およびパネルは、任意の組み合わせで、ナイロン、ビニール、マイラーの一つ以上から成る群から選択される柔軟性の繊維でできている。
【００５０】
実施形態は、大気圧より高い陽圧の流体で可撓性スクリーンを支持するための手段と、大気圧より低い陰圧の流体で可撓性スクリーンを画像投影に適切な形状に維持するための手段を含み、可撓性スクリーンは二つの異なる幾何学的平面にある境界線を有する。実施形態は、可撓性スクリーンを支持するための手段に観客が入ることを可能にするための手段をさらに含む。可撓性スクリーンを支持するための手段は、可撓性スクリーンの凸側を完全に包囲している。実施形態は、陽圧を作り出すための手段と、陰圧を作り出すための手段をさらに含む。
【００５１】
特定の実施形態が本明細書で図示され記述されてきたが、当然のことながら、同じ目的を実現するために計算された任意の処置が、示された特定の実施形態に置換され得る。本開示は、様々な実施形態の任意の、かつ全ての適応もしくは変化を包含することを意味する。当然のことながら、上記の記述は例示的な方法でなされ、制限的な方法でなされたものではない。上記の実施形態の組み合わせ、および本明細書で特に記述されない他の実施形態は、上記の記述を検討することによって当業者に明らかとなるだろう。従って、様々
な実施形態の範囲は、上記の組成物、構造、および方法が用いられる任意の他の用途を含む。
【００５２】
開示の要約は、読者が迅速に技術的開示の本質を解明できるような要約を必要とする、米国特許法施行規則1.72条(b)項に従うために提供されることが強調される。これは、請求項の範囲もしくは意味を、解釈もしくは制限するために用いられるものではないという理解と共に提示される。加えて、前述の発明を実施するための最良の形態においては、開示の合理化を目的として、様々な特徴が一つの実施形態にまとめられることが見てとれる。この開示の方法は、請求された実施形態が各請求項に明確に列挙された以上の特徴を必要とするという意図を反映するものとして解釈されるものではない。むしろ、以下の請求項が反映するように、発明の主題は、一つの開示された実施形態の全特徴にあるものではない。従って以下の請求項は、本明細書の発明を実施するための最良の形態に組み込まれ、各請求項は個々の好ましい実施形態として独立する。添付の請求項において、“含む（including）”、および“それにおいて（in which）”という用語は、それぞれ個別の用語“含む（comprising）”および“ここで（wherein）”のわかりやすい英語の均等物として用いられ得る。さらに、“第一”、“第二”、“第三”などの用語は、ラベルとして用いられるに過ぎず、その対象に数の必要条件を課すことを意味するものではない。
【００５３】
他の態様と利点が以下の番号付けされた条項で見られる可能性がある。
【図面の簡単な説明】
【００５４】
【図１】図１は、様々な実施形態に従ったインフレータブルドームシアターをあらわす。
【図２Ａ】図２Ａは、様々な実施形態に従ったインフレータブルドームシアターをあらわす。
【図２Ｂ】図２Ｂは、様々な実施形態に従った図２Ａに示したインフレータブルドームシアターの断面図をあらわす。
【図３】図３は、様々な実施形態に従ったインフレータブルドームシアターをあらわす。
【図４】図４は、様々な実施形態に従った図３に示したインフレータブルドームシアターの外観をあらわす。
【図５】図５は、様々な実施形態に従った図３に示したインフレータブルドームシアターのパネル全域の張力の概略図である。
【図６】図６は、様々な実施形態に従った図３に示したインフレータブルドームシアターの断面図をあらわす。
【図１】
2009503587.tif 000003
【図２Ａ】
2009503587.tif 000004
【図２Ｂ】
2009503587.tif 000005
【図３】
2009503587.tif 000006
【図４】
2009503587.tif 000007
【図５】
2009503587.tif 000008
【図６】
2009503587.tif 000009
【手続補正書】
【提出日】平成20年3月26日(2008.3.26)
【手続補正１】
【補正対象書類名】特許請求の範囲
【補正対象項目名】請求項１７
【補正方法】変更
【補正の内容】
【請求項１７】
前記複数のチューブが前記陽圧の流体によって膨張される時、各可撓性パネルが張力下にあり、各可撓性パネルが小さいことを特徴とする、請求項１６に記載の装置。
【手続補正２】
【補正対象書類名】特許請求の範囲
【補正対象項目名】請求項２０
【補正方法】変更
【補正の内容】
【請求項２０】
流体を受け取るために、前記複数のチューブの中に複数の開口部もしくは弁をさらに含み、前記流体が前記複数のチューブを膨張させるためにチューブからチューブへ移動できるように、前記複数のチューブが複数の開口部を伴って複数の遠心端で相互につながれている、請求項１２から１９のいずれか一つに記載の装置。
【手続補正３】
【補正対象書類名】明細書
【補正対象項目名】００１９
【補正方法】変更
【補正の内容】
【００１９】
図２Ａは、様々な実施形態に従ったインフレータブルドームシアター200をあらわす。インフレータブルドームシアター200は、開け放したままの出入り口206を含む。図２Ｂは、様々な実施形態に従った、切断線2B-2Bに沿ったインフレータブルドームシアター200の断面図をあらわす。インフレータブルドームシアター200は、第一膜220と第二膜222を含み、膜220と膜222の間に連結された複数のリブ224で結び付けられている。膜220と膜222は可撓性で、同心で、球状であり、第一膜220は第二膜222よりも大きい。リブ224はそれぞれ単一の膜であり、空気もしくは他の流体がリブ224を通過し得るように開口部を持っていてもよい。陽圧は膜220と膜222の間に、第一注入口230を通って加えられ、膜220と膜222を、リブ224によって適所に保たれるまで離れさせる。第一注入口230は、膜220と膜222の間の領域もしくは容積への流体経路を提供するために、第一膜220を貫通する。膜220と膜222、およびリブ224は、膜220、膜222、リブ224内の陽圧と張力によって、独立の自立支持構造を形成する。
【手続補正４】
【補正対象書類名】明細書
【補正対象項目名】００３０
【補正方法】変更
【補正の内容】
【００３０】
チューブ310は、独立の自立支持構造を形成するために、陽圧の流体で膨張される。チューブ310が膨張すると、可撓性のパネル320は、膨張したチューブ310の形状によって決定される名目上の大きさ（nominal）より若干小さいので、ピンと引っ張られる。チューブ310だけでも独立の自立支持構造を形成し得るが、パネル320はさらに構造的な支持を供給するために設計されている。図５は、チューブ310が膨張してパネル320がピンと張った時の、パネル320のうちの一つにわたる張力500の概略図である。張力500は、陽性大気圧で内部から膨張された単一の球状シェルの張力を近似している。
【国際調査報告】
2009503587.tif 000010
2009503587.tif 000011